(57)【特許請求の範囲】
【請求項１】
プラテン上に載置された原稿を露光ランプ及びイメージセンサを含むスキャナユニットで走査露光し、前記原稿からの反射光を前記イメージセンサで受光し、Ａ／Ｄ変換後の画像データに基づいて帯電後の像担持体上に書き込み処理を行う構成のデジタル式画像形成装置において、
開閉可能に設けたプラテンカバーの閉じ動作途上を検出する第１検出手段の検出信号をトリガーとして前記露光ランプを点灯させるとともに、前記スキャナユニットを移動させ、前記原稿の複数ライン分の反射光を前記イメージセンサにより読み取って主走査方向の原稿サイズを検出するとともに、
フォトセンサを有し、副走査方向における原稿サイズを、前記フォトセンサの出力に基づいて検出するデジタル式画像形成装置であって、
原稿サイズの検出動作から一定時間内における前記プラテンカバーの再度の開閉による前記第１検出手段からの検出信号を受け付けないようにしたことを特徴とするデジタル式画像形成装置。
【請求項２】
原稿サイズ検出時における前記露光ランプの点灯時間は可変であることを特徴とする請求項１に記載のデジタル式画像形成装置。
【請求項３】
プラテン上に載置された原稿を露光ランプ及びイメージセンサを含むスキャナユニットで走査露光し、前記原稿からの反射光を前記イメージセンサで受光し、Ａ／Ｄ変換後の画像データに基づいて、帯電後の像担持体上に書き込み処理を行う構成のデジタル式画像形成装置において、
開閉可能に設けた自動原稿搬送装置と、
前記自動原稿搬送装置と独立して開閉可能に設けたプラテンカバーとを有し、  前記プラテンカバーの閉じ動作途上を検出する第１検出手段の検出信号をトリガーとして前記露光ランプを点灯させ、前記スキャナユニットを副走査方向における所定の方向に移動させて前記原稿の複数ライン分を前記イメージセンサにより読み取るとともに、
引き続く前記自動原稿搬送装置の閉動作の完了を第２検出手段で検出し、当該第２検出手段の検出信号をトリガーとして前記露光ランプを再度点灯させ、かつ、前記スキャナユニットを前記移動方向と逆の方向に移動させて、前記原稿の複数ライン分を前記イメージセンサにより読み取り、
前記イメージセンサにより読み取られた２つの情報から主走査方向における原稿サイズを確定するとともに、
フォトセンサを有し、副走査方向における原稿サイズを、フォトセンサを介して検出する、
ことを特徴とするデジタル式画像形成装置。
【発明の詳細な説明】
【０００１】
【発明の属する技術分野】
本発明は複写機やプリンタ等のデジタル式画像形成装置に関し、特に、プラテン上に置かれる原稿のサイズを検出する構成に改良を加えたデジタル式画像形成装置に係わる。
【０００２】
【従来の技術】
従来、露光ランプを含むスキャナユニットにより、原稿載置台であるプラテン上に載置された原稿を走査露光し、当該原稿からの反射露光光をラインＣＣＤ上に結像せしめて光電変換し、アナログ処理後にＡ／Ｄ変換し、シェーディング補正、γ補正等の適宜の画像処理を施した後、その画像データに従ってレーザ光源を用いた画像書き込みを感光体からなる像担持体上に行い、電子写真方式により転写材上にトナー像を得る構成のデジタル式画像形成装置においては、前記原稿のサイズを自動的に検出し、それに適したサイズの転写材を自動選択して給送できるように構成されている。
【０００３】
上記原稿サイズ自動検出の構成としては、例えば、前記ラインＣＣＤからの出力情報から原稿の幅サイズ（露光ランプの長さ方向、即ち、主走査方向における原稿サイズ）を、また、別途設けたフォトセンサからの出力情報から原稿の長さサイズ（露光ランプによる走査方向、即ち、副走査方向における原稿サイズ）を検出する構成が提案されている。
【０００４】
このような原稿サイズ自動検出技術は画像形成装置の操作性を向上させるものであって有用な技術であるが、一方において、原稿をプラテン上に載置し、プラテンカバーで前記原稿を覆った後に、操作パネル上に設けた、例えば、コピーボタンを押下することにより露光ランプを点灯させる態様であるので、操作がややもすると煩わしく感じられ、同時に、僅かな時間ではあるにせよ、本来のコピーまでに時間が掛かりすぎる感じをユーザに与えていた。
【０００５】
そこで、操作上の煩わしさ感をなくし、より無駄な時間をなくすために、プラテンカバーを閉じる動作途中で露光ランプを点灯させる構成も考えられるが、この場合、露光ランプにより露光される領域となっている原稿の角が折れていたりすると、原稿からの反射光を拾うラインＣＣＤからの出力情報があり得ないサイズ情報となり、結果として、画像形成制御に支障を生じてしまう問題が内在していた。
【０００６】
また、原稿の形態が、例えば、方眼紙であったり、あるいは、露光ランプにより露光される領域に設計図等における黒線等があり、ラインＣＣＤによる読み込みが丁度、罫線や黒線の部分であった場合、それが画像であるか否かを制御手段によって判断できず、前記と同様に画像形成制御に支障を生じてしまう危惧があった。
【０００７】
【発明が解決しようとする課題】
本発明は上記のような問題点に鑑みて成されたもので、主たる目的は、操作性がよく、原稿サイズ自動検出に費やされる時間を極力短くできる構成のデジタル式画像形成装置を提供することにある。
【０００９】
【課題を解決するための手段】
本発明の目的は下記の構成要件によって達成することができる。
【００１０】
（１）プラテン上に載置された原稿を露光ランプ及びイメージセンサを含むスキャナユニットで走査露光し、前記原稿からの反射光を前記イメージセンサで受光し、Ａ／Ｄ変換後の画像データに基づいて帯電後の像担持体上に書き込み処理を行う構成のデジタル式画像形成装置において、
開閉可能に設けたプラテンカバーの閉じ動作途上を検出する第１検出手段の検出信号をトリガーとして前記露光ランプを点灯させるとともに、前記スキャナユニットを移動させ、前記原稿の複数ライン分の反射光を前記イメージセンサにより読み取って主走査方向の原稿サイズを検出するとともに、
フォトセンサを有し、副走査方向における原稿サイズを、前記フォトセンサの出力に基づいて検出するデジタル式画像形成装置であって、
原稿サイズの検出動作から一定時間内における前記プラテンカバーの再度の開閉による前記第１検出手段からの検出信号を受け付けないようにしたことを特徴とするデジタル式画像形成装置。
【００１１】
（２）原稿サイズ検出時における前記露光ランプの点灯時間は可変であることを特徴とする前記（１）に記載のデジタル式画像形成装置。
【００１２】
（３）プラテン上に載置された原稿を露光ランプ及びイメージセンサを含むスキャナユニットで走査露光し、前記原稿からの反射光を前記イメージセンサで受光し、Ａ／Ｄ変換後の画像データに基づいて、帯電後の像担持体上に書き込み処理を行う構成のデジタル式画像形成装置において、
開閉可能に設けた自動原稿搬送装置と、
前記自動原稿搬送装置と独立して開閉可能に設けたプラテンカバーとを有し、  前記プラテンカバーの閉じ動作途上を検出する第１検出手段の検出信号をトリガーとして前記露光ランプを点灯させ、前記スキャナユニットを副走査方向における所定の方向に移動させて前記原稿の複数ライン分を前記イメージセンサにより読み取るとともに、
引き続く前記自動原稿搬送装置の閉動作の完了を第２検出手段で検出し、当該第２検出手段の検出信号をトリガーとして前記露光ランプを再度点灯させ、かつ、前記スキャナユニットを前記移動方向と逆の方向に移動させて、前記原稿の複数ライン分を前記イメージセンサにより読み取り、
前記イメージセンサにより読み取られた２つの情報から主走査方向における原稿サイズを確定するとともに、
フォトセンサを有し、副走査方向における原稿サイズを、フォトセンサを介して検出する、
ことを特徴とするデジタル式画像形成装置。
【００１６】
【発明の実施の形態】
本発明の実施の形態に係るデジタル式画像形成装置について図１を用いて以下に説明する。
【００１７】
図において、１はデジタル式画像形成装置（以下、単に画像形成装置または装置という）の全体を示し、当該画像形成装置１は自動原稿搬送装置（通称ＡＤＦ）Ａと、当該自動原稿搬送装置Ａにより搬送される原稿の画像を読み取るための原稿画像読み取り部Ｂと、読み取った原稿画像を処理する画像制御基板Ｃと、画像処理された画像データに基づいて像担持体（後記）に書き込み処理をする書き込み装置Ｄと、前記像担持体上にトナー画像を形成し、かつ、当該トナー像を転写材上に転写させる電子写真方式による画像形成部Ｅと、普通紙等の用紙からなる転写材Ｐを収納する収納部Ｆとを有する。
【００１８】
前記自動原稿搬送装置Ａは、装置の上部に、開閉可能に取り付けてあり、例えば、図の奥側を支点として開閉することができる。
【００１９】
前記自動原稿搬送装置Ａは、原稿集積台１００と、ローラＲ１を含むローラ群、および、原稿の移動通路を適宜切り替えるための切換手段（参照記号なし）とを含む原稿搬送処理部１１０とを主要素とする。
【００２０】
１２０は前記プラテンＧ上の領域を覆うプラテンカバーで、樹脂枠にゴム板を一体的に付設したことからなり、前記自動原稿搬送装置Ａと同様に図の奥側を支点として独立して開閉することができる。
【００２１】
前記自動原稿搬送装置Ａとプラテンカバー１２０とは、後者の上に前者が重なった態様にあるため、開動作においては、まず前記自動原稿搬送装置Ａを開いた後にプラテンカバー１２０を開き、閉動作はその逆の順序で行う。
【００２２】
前記プラテンカバー１２０の上部は、前記自動原稿搬送装置Ａを用いて処理される原稿の排紙皿として機能するようになっている。
【００２３】
なお、前記自動原稿搬送装置Ａと前記プラテンカバー１２０とは、従来装置の如く一体的に開閉可能に構成することもできる。
【００２４】
両者が一体的に構成されている場合、本発明との関係から、この構体（構造物）はプラテンカバーという概念に含まれる。
【００２５】
すなわち、以後の説明から理解されるように、本願に係わる１つの発明は、自動原稿搬送装置の存在に影響されるものではなく、プラテンカバーの機能、換言すれば、プラテン上に載置される原稿を覆うとともに、所定の押圧力を付与することができる手段を必須とするものであって、自動原稿搬送装置の機能は求めていないからであり、逆に、前記構体自体がプラテンカバーとしての機能を明らかに有しているからである。
【００２６】
また、上述のように、自動原稿搬送装置Ａとプラテンカバー１２０とを別体として構成したのは、自動原稿搬送装置を用いることにより多機能化の要望を満たすためであり、同時に、プラテン上に原稿を載置して画像形成を行うモードにおいては、質量のある自動原稿搬送装置を原稿載置の都度操作するよりは、軽量のプラテンカバーのみを操作すればよい態様とすることによってユーザの負担を軽減し、操作性を向上させるためである。
【００２７】
即ち、プラテン上に載置される原稿としてはシートものが圧倒的に多く、プラテンカバーの質量で原稿をプラテン上に良好に押しつけることができるからである。
【００２８】
また、仮にプラテン上に載置される原稿が書籍の如く厚手である場合、プラテンカバーのみの質量では見開きの中央部が必要以上に浮いてしまいかねないが、、斯様な場合には自動原稿搬送装置をも閉じて、その質量を押圧手段として利用でき、更に操作性の向上を図ることができる。
【００２９】
前記原稿画像読み取り部Ｂは前記自動原稿搬送装置ＡやプラテンＧの下方に設けてあり、そこには、光路長を保ちながら図の左右方向（副走査方向）に往復移動して前記プラテンＧ上に載置された原稿を走査することができる第１ミラーユニット２００と、第２ミラーユニット２１０と、前記第１ミラーユニット２００と一体的に設けた原稿用の露光手段である露光ランプＬとを含む移動光学系（これをスキャナユニットと称する）２５０、結像レンズ（以下、単にレンズという）２２０、および、ラインＣＣＤからなるイメージセンサ２３０等を配設してある。
【００３０】
なお、前記自動原稿搬送装置Ａの本来の機能を用い、前記原稿集積台１００上から搬送される原稿に対する画像読み取りにおいては、前記ローラＲ１の下側に設けてあるスリットを通して前記露光ランプＬが原稿を露光でき、当該原稿からの反射露光光が前記第１ミラーユニット２００上のミラーに入射し、最終的に前記イメージセンサ２３０上に結像するように構成してあり、各ミラーユニットは固定位置に保たれる。
【００３１】
前記画像制御基板Ｃは、前記イメージセンサ２３０により光電変換された原稿のアナログ信号をアナログ処理後に、Ａ／Ｄ（アナログ／デジタル）変換し、シェーディング補正、γ補正等の画像処理を行って画像データを作製し、最終的に、書き込み装置Ｄを介して画像形成用のドット露光（書き込み）を行わせる。
【００３２】
前記書き込み装置Ｄは、書き込み用の光源としての半導体レーザ３００、光偏向手段としての回転多面鏡３１０等からなる。
【００３３】
前記画像形成部Ｅには、感光体ドラムからなる像担持体（以下、単に感光体という）４００、帯電電極４１０、磁気ブラシ型の現像装置４２０、転写電極４３０、分離電極４４０、クリーニング手段４５０等が付設してあり、これらに前記書き込み装置Ｄが加わって画像形成手段が構成される。
【００３４】
前記収納部Ｆには、２段の給紙トレイ５００、５５０、および、それらの給紙トレイ毎に設けてある給紙手段５１０、５５５等が備えてある。
【００３５】
Ｓは前記給紙トレイ内に設けられる可動板で、転写材Ｐの減少に応じてその先端部が上昇され、最上位の転写材Ｐの位置を所定の位置に持ち来す規制手段の１要素として機能する。
【００３６】
転写材Ｐの移動方向において、前記給紙ローラ５１０、５５５の下流側には転写材Ｐの搬送路を構成するための複数の搬送ローラ対（参照符号なし）が設けてある。
【００３７】
前記転写電極４３０の手前側の位置に示すＲ１０はレジストローラ、前記分離電極４４０の下流に示すローラ対は定着装置を構成する定着ローラＨであり、少なくとも、転写後の未定着トナー像を有する転写材Ｐの面に対向する側のローラには、ハロゲンランプ等からなる加熱源を内蔵してある。
【００３８】
また、Ｚは前記定着ローラＨのためのクリーニング手段で、巻き取り可能に設けたクリーニングウェブを主要素とする。
【００３９】
６００は前記定着ローラの下流に設けた通路切替部材であり、転写材Ｐの両面に画像を形成させる場合、破線位置に固定保持されて、第１面にトナー画像が形成された状態で搬送されてくる転写材Ｐを搬送路６１０に向かわせる。
【００４０】
この搬送路６１０に搬入された転写材Ｐは下方に搬送され、その後端が挟持されている状態で停止され、次に逆方向に回転される搬送ローラ対Ｒ２０によって搬送路６２０に入り、前記レジストローラＲ１０に向けて搬送され、第２面に対する画像形成が行われることになる。
【００４１】
６５０は画像形成が終了した転写材Ｐを排紙トレイＴ上に排出する排紙ローラである。
【００４２】
以上の構成を有する画像形成装置を用いての画像形成プロセスは概略下記の通りである。尚、説明は若干の制御を追加して行うこととする。
【００４３】
プラテンカバー１２０の開閉を介して原稿をプラテンカバー１２０上に載置した後に、操作板上のコピーボタンを押下すると、感光体４００が矢印の如く反時計方向に回転を開始し、また、スキャナユニットを構成する露光ランプＬが点灯するとともに第１ミラーユニット２００、および、第２ミラーユニット２１０が往動を開始する。
【００４４】
原稿からの反射露光光は、前記第１、第２ミラーユニット２００、２１０、および、レンズ２２０を経てイメージセンサ２３０上に結像され、読み取られる。
【００４５】
原稿画像読み取り部Ｂで読み取られた画像情報、換言すれば、前記イメージセンサ２３０で読み取られた原稿画像情報は、画像処理手段により処理され、データ化（画像データ）されて画像制御基板Ｃ上に設けてあるメモリーに一旦格納される。
【００４６】
画像データは画像形成プロセスに応じて呼び出され、当該画像データに従って書き込み装置Ｄにおける半導体レーザ３００が駆動制御され、回転多面鏡３１０を介して感光体４００上に書き込み（露光）が行われる。
【００４７】
前記書き込みに先立って、前記感光体４００の表面は帯電電極４１０のコロナ放電作用により所定の電位を付与されているが、書き込み光により、露光部位の電位が露光量に応じて減じ、結果として、画像データに応じた静電潜像が感光体４００上に形成される。
【００４８】
前記静電潜像は、現像装置４２０により反転現像され、可視像（トナー像）とされる。
【００４９】
一方、感光体４００上のトナー像の先端部が転写領域に到達する前に、例えば、給紙トレイ５００内の転写材Ｐが給紙搬送されてレジストローラＲ１０に到達し、先端規制された状態にある。
【００５０】
前記転写材Ｐは、前記感光体４００上のトナー像領域と重畳するように同期をとって回転制御される前記レジストローラＲ１０により転写領域に向けて搬送される。
【００５１】
前記転写領域において、前記感光体４００上のトナー像は転写電極４３０の付勢により前記転写材Ｐ上に転写され、次いで、当該転写材Ｐは分離電極２０の作用により前記感光体４００から分離される。
【００５２】
分離後の前記転写材Ｐは一対の定着ローラＨにより加圧、加熱され、その結果、前記トナー像は前記転写材Ｐ上に定着された後、排紙ローラ６５０を介して排紙トレイＴ上に排紙される。
【００５３】
ところで、図１においては省略したが、前記画像形成装置１には前記プラテンカバー１２０の閉じ動作途上において当該プラテンカバーから駆動作用を受けてＯＮまたはＯＦＦされることにより、プラテンカバーの閉じ動作途上を検出する第１検出手段と、前記自動原稿搬送装置Ａの閉じ動作の終了間際に当該自動原稿搬送装置Ａの作用を受けてＯＮまたはＯＦＦされることにより自動原稿搬送装置Ａの閉じ動作終了を検出する第２検出手段が備えられている。
【００５４】
次に図２、図３を用いて本発明に係わる詳細な説明を行う。
図２はプラテンカバーと、プラテンカバーの閉じ動作途上を検出する検出手段との構成を説明するための模式図、図３は自動原稿搬送装置と自動原稿搬送装置の閉じ動作終了を検出する検出手段との構成を説明するための模式図であり、以下、図１の構成を随時を引き合いに出しながら説明する。
【００５５】
図２において、図の左側を支点として矢印方向に開閉することができるプラテンカバーの支点側の適宜箇所には、プラテンカバーの閉じ動作途上を検出するための第１検出手段１２２が設けてある。
【００５６】
具体的には、前記第１検出手段１２２は前記プラテンカバー１２０の占有領域内にある装置本体の上面から一部が突出するように付勢されており、かつ、上下移動可能に設けたアクチュエータ１２４と、前記アクチュエータの下方移動範囲内に設けた受光素子と発光素子とからなる構体１２５を有し、前記アクチュエータ１２４が光路を遮断した時の受光素子の出力変化により、前記プラテンカバー１２０が閉じ動作途上であることを検出する。
【００５７】
そして、前述の如くに、第１検出手段１２２からの検出信号が得られた場合、本実施の形態においては、当該検出信号をトリガーとして露光ランプＬを点灯させるとともに、第１、第２ミラーユニット２００、２１０、即ち、スキャナユニット２５０を副操作方向に所定距離移動させ、原稿８００における複数ライン分の走査に基づく反射露光光を前記イメージセンサ２３０により読み取って、主走査方向における原稿サイズを検出するように構成してある。
【００５８】
極言すれば、プラテンカバーが閉じきっていない状態で、主走査方向における原稿８００の白地領域で反射される露光光を検出することにより原稿の幅サイズを検出する。
【００５９】
本実施の形態においては、プラテン面に対して約４０度の傾きまで開動作されると、操作者が手を離してもプラテンカバー１２０はその位置を保つことができ、また、閉動作において、約３０度の状態で前記アクチュエータ１２４に当接し、以後の閉動作で当該アクチュエータ１２４を押下するようになっている。
【００６０】
また、プラテン上に載置された原稿をコピーする態様においては、前記露光ランプＬを原稿領域内（プラテンのある領域内の意）の所定位置（待機位置）に置き、前記第１検出手段１２２の検出信号に基づいて前記露光ランプを点灯させると同時に、副走査方向、即ち、画像形成のための露光開始位置である前記プラテンの一端部側に向けて移動し、前記原稿の複数ライン分を走査させる。
【００６１】
図３において、１３０は第２検出手段で、自動原稿搬送装置Ａの閉じ動作完了を検出する機能を有する。
【００６２】
図２を用いて説明したプラテンカバー１２０の閉動作の後に、図３に示す如くに自動原稿搬送装置Ａを閉じて原稿のコピーを行う態様においては、閉じ動作の終了直前に、前記自動原稿搬送装置Ａにより駆動（押下）される第２検出手段１３０の検出信号をトリガーとして前記露光ランプＬを再度点灯させ、前記方向とは逆の副走査方向に当該露光ランプＬを移動して、前記原稿上の同じ領域である複数ライン分を走査させる。
【００６３】
前記第２検出手段１３０の基本的な構成は前記第１検出手段１２２と同じである。
【００６４】
上記構成は、図２の態様が前述のように原稿の白地部を検出しているのに対して、原稿の黒字部（文字部、画像部等を指す）を検出するものであるということができ、両検出方法によって精度のよい原稿サイズ（幅サイズ）検出ができる。
【００６５】
黒字部の検出と述べたのは、プラテンカバー１２０の下面、あるいは、プラテンカバーと同じ機能を果たす自動原稿搬送装置Ａの原稿押さえ面は一般的に白色であり、そのような場合、原稿の白地部と原稿の押さえ面との区別が困難な場合が想定されるが、本発明に係わる上記構成は斯様な危惧を払拭できる。
【００６６】
なお、原稿の副走査方向におけるサイズは、例えば、特許第３１６８６６６号に示されるように、各原稿サイズの長手方向に応じた位置にフォトセンサを設けることによって原稿サイズ（長さサイズ）を検出することができる。
【００６７】
また、プラテン上における原稿の位置決めは、中央基準（原稿の突き当て板の中央位置と、突き当てた原稿の中央位置とを合致させて位置決めする方式）でも、片側基準（原稿の角部を、プラテンの所定の角部を構成するＸ−Ｙ方向の突き当て板に押し当てて位置決めする方式）でもよい。
【００６８】
上述の如く、第１検出手段１２２、または、第１検出手段１２２と第２検出手段１３０に基づくイメージセンサ２３０を介しての情報と、原稿の長さサイズ検出用の前記フォトセンサを介しての情報とから原稿サイズ、原稿の方向が確定され、その原稿サイズ情報を基に、適宜のサイズの転写材を自動的に選択することができる。
【００６９】
前記したように、イメージセンサ、および、フォトセンサ等からの出力情報は、実際には、図１の画像制御基板Ｃ中に設けられた演算手段（例えば、マルチタスクにおける１つのサブルーチン）により演算され、結果として原稿サイズが特定されるものであるが、本発明は、その演算手段に特徴を有するものではないこと、また、原稿サイズ検出が前記イメージセンサ等の出力情報のみを基礎とするということから、単純に、イメージセンサあるいはフォトセンサにより原稿の幅サイズあるいは長さサイズが検出されると説明した。
【００７０】
前記工程を介して原稿サイズを検出した後、前記露光ランプＬを含む第１ミラーユニット２００及び第２ミラーユニット２１０を画像形成のための所期位置に戻し（単にプラテンカバーのみを原稿押圧部材として使用する場合であって、待機位置から、画像形成用露光のための副走査方向に移動される形態の場合は、戻す動作をなくすことができる）、画像形成に備える。
【００７１】
即ち、上記戻り動作は、例えば、コピーボタン操作により行い、露光ランプＬ等の関係する手段を所期位置に戻した後に、引き続いて画像形成プロセスのための操作露光を実行する。
【００７２】
なお、原稿サイズ検出のための走査露光（プレスキャン）距離を原稿の複数ライン分と説明したが、これは適宜決定できるものであり、また、走査の領域にしても原稿を突き当てた端部位置まで含まなくてもよい。
【００７３】
前記の如き露光ランプＬによる走査は、原稿が方眼紙の形態であっても線のあるところとないところを検出範囲としうるのでイメージセンサによる読み取りに影響はなく、正確なサイズ検出を行うことができる。
【００７４】
上述のようなプレスキャン含み、実際の画像形成プロセスを実施するまでの時間、あるいは、単位時間当たりの画像形成を効率よく行うためにはなるべくプレスキャンの距離は短い方が良く、実施の形態において、その距離は約１５〜２０ｍｍ、時間にして約４００〜５００ミリ秒とした。
【００７５】
なお、この設定時間（実質的には移動距離に対応するが、露光ランプの所定位置での停止中にも点灯を続行する態様もある）は不揮発性メモリに書き換え可能に記憶させておくか、幾つかの時間を選択可能に記憶させておくと極めて便利である。
【００７６】
例えば、プラテンカバーが所定位置に落ち着かない極めて短い時間の間に露光ランプが点灯し消滅する（スカイショットと呼ばれる）と、ユーザによっては違和感を抱いたり、逆に長すぎるきらいがあると感じるユーザはできる限り短くすることを好むが、書き換え可能にすることにより斯様な不具合を緩和できる。
【００７７】
また、プラテンカバーの操作中における何らかの不可抗力により、一度検出されたプラテンカバーが新たな開閉を行い、二度目の検出がなされる場合も考えられるが、このような場合の制御におけるトラブルを防止すべく、本実施の形態においては、第１検出手段の検出信号に伴って露光ランプが点灯し、原稿サイズ検出の動作が開始した後の所定時間内に、再度、プラテンカバーの検出を検出手段が出力しても、その検出信号を結果として受け付けないように構成してある。
【００７８】
具体的には、第１検出手段の検出信号に応じてタイマを起動させ、２度目の検出信号が所定時間内に発生したものであるか否か演算し、所定時間内のものである場合は、その信号を無効と判断するようにサブルーチンで監視している。
【００７９】
前記所定時間は、本実施の形態においては約５００ミリ秒としたが、これも種々の実験を介して好適な時間を決定することができる。
【００８０】
更に、前記第１検出手段、および、第２検出手段にしても上記態様に拘束されるものではなく、プラテンカバーや自動原稿搬送装置の閉じ動作における駆動作用を受けずに、必要とするそれらの態様を検出する構成とすることができる。
【００８１】
例えば、プラテンカバーの開閉動作途中を検出することができる装置本体上にフォトセンサを設けたり、または、その支点部におけるプラテンカバー側の回動部材を利用して閉動作を検出するように検出手段を配置してもよく、また、自動原稿搬送装置と装置本体側とに発光素子と受光素子とを設けておき、受光した光強度から当該自動原稿搬送装置の閉じ動作終了を検出するように構成することで達成できる。
【００８２】
なお、例えば、色地の原稿などの場合に、その地の部分の濃度を前述のイメージセンサを用いてプレスキャンで検出し、半導体レーザからなる光源のパワーを変更して光量を増減し、以て原稿の再現に適した階調補正（γ補正）を行うことができる所謂自動濃度設定（ＥＥ）機能を有している画像形成装置においては、自動濃度設定のための原稿走査時における収集データを利用して、前記原稿の主走査方向におけるサイズ検出を行うことができる。
【００８３】
【発明の効果】
簡単な構成でありながら、短時間で、かつ、正確に原稿サイズを検出することができ操作性がよい。
【図面の簡単な説明】
【図１】デジタル式画像形成装置の概略構成を示す模式図である。
【図２】プラテンカバーと、当該プラテンカバーの閉じ動作途上を検出する検出手段との構成を説明するための模式図である。
【図３】自動原稿搬送装置と当該自動原稿搬送装置の閉じ動作終了を検出する検出手段との構成を説明するための模式図である。
【符号の説明】
１  デジタル式画像形成装置
１２０  プラテンカバー
１２２  第１検出手段
１３０  第２検出手段
２３０  イメージセンサ
３００  半導体レーザ
４００  像担持体（感光体）
Ａ  自動原稿搬送装置
Ｂ  原稿画像読み取り部
Ｃ  画像制御基板
Ｄ  書き込み装置
Ｅ  画像形成部
Ｆ  収納部
Ｇ  プラテン
【図１】
0003801069.tif 000002
【図２】
0003801069.tif 000003
【図３】
0003801069.tif 000004